(57)【要約】【課題】高い耐圧と簡素な構造とを有する炭化珪素半導体装置を提供する。【解決手段】炭化珪素膜９０は第１および第２の主面Ｐ１、Ｐ２を有する。第２の主面Ｐ２は素子形成面ＰＥと終端面ＰＴとを有する。炭化珪素膜９０は、第１の主面Ｐ１と第１の主面Ｐ１と反対の中間面ＰＭとをなす第１の範囲ＲＡと、中間面ＰＭ上に設けられ素子形成面ＰＥをなす第２の範囲ＲＢとを有する。第１の範囲ＲＡは、第１の耐圧保持層８１Ａと、終端部ＴＭ内において中間面ＰＭに部分的に設けられたガードリング領域７３とを含む。第２の範囲ＲＢは第２の耐圧保持層８１Ｂを有する。第２の範囲ＲＢは、終端部ＣＬ内において第２の耐圧保持層８１Ｂのみを有する構造、および、素子部ＣＬおよび終端部ＴＭのうち素子部ＣＬにのみ配置される構造のいずれかを有する。【選択図】図２
2014138025.tif 000002
【特許請求の範囲】
【請求項１】
半導体素子が設けられている素子部と、前記素子部を取り囲んでいる終端部とを有する炭化珪素半導体装置であって、
第１の主面および前記第１の主面と反対の第２の主面を有する炭化珪素膜を備え、前記第２の主面は前記素子部内の素子形成面と前記終端部内の終端面とを有し、前記炭化珪素膜は、前記第１の主面と前記第１の主面と反対の中間面とをなす第１の範囲と、前記中間面上に設けられ前記素子形成面をなす第２の範囲とを有し、前記第１の範囲は、第１の導電型を有する第１の耐圧保持層と、前記終端部内において前記中間面に部分的に設けられ前記中間面上において前記素子部を取り囲み第２の導電型を有するガードリング領域とを含み、前記第２の範囲は、前記第１の導電型を有する第２の耐圧保持層を有し、前記第２の範囲は、前記終端部内において前記第２の耐圧保持層のみを有する構造、および、前記素子部および前記終端部のうち前記素子部にのみ配置される構造のいずれかを有し、前記炭化珪素半導体装置はさらに
前記第１の主面に面する第１の主電極と、
前記第２の主面の前記素子形成面に面する第２の主電極とを備える、炭化珪素半導体装置。
【請求項２】
前記第１の範囲は、前記素子部内において前記中間面に部分的に設けられ、前記第２の導電型を有し前記ガードリング領域の不純物濃度に比して低い不純物濃度を有する電荷補償領域を含む、請求項１に記載の炭化珪素半導体装置。
【請求項３】
前記素子形成面と前記終端面との各々は一の平面上に配置されている、請求項１または２に記載の炭化珪素半導体装置。
【請求項４】
前記終端面は、前記素子形成面を含む仮想平面から前記第１の主面の方へずらされて配置されている、請求項１または２に記載の炭化珪素半導体装置。
【請求項５】
前記第２の範囲は前記ガードリング領域を覆っている、請求項４に記載の炭化珪素半導体装置。
【請求項６】
前記ガードリング領域は前記終端面に位置している、請求項４に記載の炭化珪素半導体装置。
【請求項７】
半導体素子が設けられている素子部と前記素子部を取り囲んでいる終端部とを有する炭化珪素半導体装置の製造方法であって、前記炭化珪素半導体装置は第１の主面および前記第１の主面と反対の第２の主面を有する炭化珪素膜を含み、前記第２の主面は前記素子部内の素子形成面と前記終端部内の終端面とを有するものであり、前記炭化珪素半導体装置の製造方法は、
前記第１の主面と前記第１の主面と反対の中間面とをなす第１の範囲を形成する工程を備え、前記第１の範囲を形成する工程は、前記第１の主面および前記中間面をなし第１の導電型を有する第１の耐圧保持層を形成する工程と、前記終端部内において前記中間面に部分的に、前記中間面上において前記素子部を取り囲み第２の導電型を有するガードリング領域を形成する工程とを含み、前記炭化珪素半導体装置の製造方法はさらに
前記中間面上に、前記素子形成面をなす第２の範囲を形成する工程を備え、前記第２の範囲を形成する工程は、前記ガードリング領域を形成する工程の後に、前記中間面上に、前記第１の導電型を有する第２の耐圧保持層を形成する工程を含み、前記第２の範囲を形成する工程は、前記第２の範囲が、前記終端部内において前記第２の耐圧保持層のみを有する構造、および、前記素子部および前記終端部のうち前記素子部にのみ配置される構造のいずれかを有するように行われ、前記炭化珪素半導体装置の製造方法はさらに
前記第１の主面に面する第１の主電極を形成する工程と、
前記第２の主面の前記素子形成面に面する第２の主電極を形成する工程とを備える、炭化珪素半導体装置の製造方法。
【請求項８】
前記第２の範囲を形成する工程は、前記終端部内において前記第２の耐圧保持層の少なくとも一部を除去することによって、前記素子形成面を含む仮想平面から前記第１の主面の方へずらされた前記終端面を形成する工程を含む、請求項７に記載の炭化珪素半導体装置の製造方法。
【発明の詳細な説明】
【技術分野】
【０００１】
この発明は、炭化珪素（ＳｉＣ）半導体装置およびその製造方法に関するものであり、特に、ガードリング領域を有する炭化珪素半導体装置およびその製造方法に関するものである。
【背景技術】
【０００２】
広く用いられている電力用半導体装置であるＳｉ（シリコン）ＭＯＳＦＥＴ（Metal  Oxide  Semiconductor  Field  Effect  Transistor）に関して、耐圧の主な決定要因は、耐圧保持領域をなすドリフト層が耐え得る電界強度の上限である。Ｓｉから作られたドリフト層は、０．３ＭＶ／ｃｍ程度以上の電界が印加された箇所で破壊し得る。このためＭＯＳＦＥＴのドリフト層全体において電界強度を所定の値未満に抑えることが必要である。最も単純な方法はドリフト層の不純物濃度を低くすることである。しかしながらこの方法ではＭＯＳＦＥＴのオン抵抗が大きくなるという短所がある。すなわちオン抵抗と耐圧との間にトレードオフ関係が存在する。
【０００３】
特開平９−１９１１０９号公報において、典型的なＳｉ  ＭＯＳＦＥＴについて、Ｓｉの物性値から得られる理論限界を考慮しつつ、オン抵抗と耐圧との間のトレードオフ関係の説明がなされている。そしてこのトレードオフを解消するために、ドレイン電極上のｎ型基板の上のｎ型ベース層中において、下側のｐ型埋込層と、上側のｐ型埋込層とを付加することが開示されている。下側のｐ型埋込層および上側の埋込層によってｎ型ベース層は、各々等しい厚さを有する下段と中断と上段とに区分される。この公報によれば、３つの段の各々によって等しい電圧が分担され、各段の最大電界が限界電界強度以下に保たれる。
【０００４】
また上記公報は、ガードリング（"Field  Limiting  Ring"とも称される）を有する終端構造を設けることを開示している。具体的には、終端構造において、上述した３つの段の各々に対応する深さ位置にガードリングが設けられる。より具体的には終端部において、ｎ型ベース層中において２つの互いに異なる深さ位置のそれぞれに埋込みガードリングが設けられ、さらにｎ型ベース層の表面上にもガードリングが設けられる。これら３種類のガードリングによって、終端構造においても、各段の最大電界が限界強度以下に保たれる。
【０００５】
なおより一般的には、上記のような埋込みガードリングを有さずｎ型ベース層の表面上にのみガードリングを有する終端構造の方が、広く用いられている。
【先行技術文献】
【特許文献】
【０００６】
【特許文献１】特開平９−１９１１０９号公報
【発明の概要】
【発明が解決しようとする課題】
【０００７】
オン抵抗と耐圧との間のトレードオフをより大きく改善するための方法として、近年、Ｓｉに代わりＳｉＣを用いることが活発に検討されている。ＳｉＣはＳｉと異なり０．４ＭＶ／ｃｍ以上の電界強度にも十分に耐え得る材料である。すなわち、そのような電界強度下において、Ｓｉ層は破壊されやすいが、ＳｉＣ層は破壊されない。このように高い電界が印加され得る場合は、ＭＯＳＦＥＴ構造における特定位置での電界集中に起因した破壊が問題となる。たとえばトレンチ型ＭＯＳＦＥＴの場合、ＳｉＣ層中ではなくゲート絶縁膜中での電界集中に起因したゲート絶縁膜の破壊現象が、耐圧の主な決定要因である。このように耐圧の決定要因がＳｉ半導体装置とＳｉＣ半導体装置との間で異なる。このため、Ｓｉの使用を前提としていると考えられる上記公報の技術をＳｉＣ半導体装置の耐圧を向上させるために単純に適用することは最善の策ではない。よって、耐圧を維持するための終端構造についても、ＳｉＣ半導体装置に最適なものを用いることが好ましい。
【０００８】
終端構造として、一般的なガードリング、すなわち半導体層上のガードリングが用いられた場合、半導体層の表面近傍での電界集中が生じる。この結果、素子部のうち、ガードリングに隣接しかつ半導体層の表面に近い箇所において、電界が集中しやすい。この箇所において、電界集中に起因した破壊現象が生じることがあった。また上記公報に記載のようにガードリングを半導体層中と半導体層上との両方に設ける場合、複数種類のガードリングを有する点で半導体装置の構造が複雑であり、またガードリングを形成するための不純物注入工程の回数が増加する点で製造方法が複雑であった。
【０００９】
本発明は、上記のような課題を解決するために成されたものであり、この発明の目的は、高い耐圧と簡素な構造とを有する炭化珪素半導体装置およびその製造方法を提供することである。
【課題を解決するための手段】
【００１０】
本発明の炭化珪素半導体装置は、半導体素子が設けられている素子部と、素子部を取り囲んでいる終端部とを有するものである。炭化珪素半導体装置は、炭化珪素膜と、第１の主電極と、第２の主電極とを有する。炭化珪素膜は第１の主面および第１の主面と反対の第２の主面を有する。第２の主面は、素子部内の素子形成面と、終端部内の終端面とを有する。炭化珪素膜は、第１の主面と第１の主面と反対の中間面とをなす第１の範囲と、中間面上に設けられ素子形成面をなす第２の範囲とを有する。第１の範囲は、第１の導電型を有する第１の耐圧保持層と、終端部内において中間面に部分的に設けられ中間面上において素子部を取り囲み第２の導電型を有するガードリング領域とを含む。第２の範囲は、第１の導電型を有する第２の耐圧保持層を有する。第２の範囲は、終端部内において第２の耐圧保持層のみを有する構造、および、素子部および終端部のうち素子部にのみ配置される構造のいずれかを有する。第１の主電極は第１の主面に面している。第２の主電極は第２の主面の素子形成面に面している。
【００１１】
この炭化珪素半導体装置によれば、第２の範囲は、終端部内において第２の耐圧保持層のみを有する構造、および、素子部および終端部のうち素子部にのみ配置される構造のいずれかを有する。第２の範囲が終端部内において第２の耐圧保持層のみを有する場合、第２の範囲のうち終端部内に第２の耐圧保持層以外の構造を設ける必要がない。第２の範囲が素子部および終端部のうち素子部にのみ配置される構造を有する場合、終端部内に第２の範囲を設ける必要がない。いずれの場合においても、炭化珪素半導体装置の構造を簡素化することができる。
【００１２】
また、第２の範囲が終端部内において第２の耐圧保持層のみを有する場合、第２の範囲のうち終端部内の部分が第２の耐圧保持層のみからなる。これにより、終端面全体が第１の導電型を有する。よって終端面上にｐｎ接合が設けられない。よって終端面の近傍における電界集中を防止することができる。よって終端面に隣接する素子形成面の近傍に高電界が印加されることが防止される。第２の範囲が素子部および終端部のうち素子部にのみ配置される構造を有する場合、素子形成面が第２の範囲によって構成されつつ、終端面が第２の範囲ではなく第１の範囲によって構成される。これにより厚さ方向において素子形成面の位置と終端面の位置とがずらされる。よって終端面の近傍における電界集中が及ぼす素子形成面の近傍への影響を抑えることができる。いずれの場合においても、終端面の近傍における素子部の破壊を防止することができる。
【００１３】
以上述べたように、上記の炭化珪素半導体装置によれば、炭化珪素半導体装置の構造を簡素化し、かつ炭化珪素半導体装置の耐圧を高めることができる。
【００１４】
第１の範囲は、素子部内において中間面に部分的に設けられ、第２の導電型を有しガードリング領域の不純物濃度に比して低い不純物濃度を有する電荷補償領域を含んでもよい。これにより、素子部内の電界を抑制することで、炭化珪素半導体装置の耐圧をより高めることができる。
【００１５】
素子形成面と終端面との各々は一の平面上に配置されていてもよい。これにより炭化珪素膜の表面の形状が単純化される。よって炭化珪素半導体装置の構造をより簡素化することができる。
【００１６】
終端面は、素子形成面を含む仮想平面から第１の主面の方へずらされて配置されていてもよい。これにより厚さ方向において素子形成面の位置と終端面の位置とがずらされる。よって終端面の近傍における電界集中が及ぼす素子形成面の近傍への影響を抑えることができる。よって終端面の近傍における素子部の破壊をより確実に防止することができる。
【００１７】
第２の範囲はガードリング領域を覆っていてもよい。すなわちガードリング領域上に第２の範囲が残存していてもよい。この場合、ガードリング領域上の第２の範囲の全てが除去される場合に比して、炭化珪素半導体装置の製造方法を簡素化することができる。
【００１８】
ガードリング領域は終端面に位置していてもよい。この場合、炭化珪素膜は、ガードリング領域を覆う部分を有しない。よってガードリング上における電界の回り込みを防止することができる。よって終端面の近傍における素子部の破壊をより確実に防止することができる。
【００１９】
本発明の炭化珪素半導体装置の製造方法は、半導体素子が設けられている素子部と素子部を取り囲んでいる終端部とを有する炭化珪素半導体装置の製造方法である。炭化珪素半導体装置は、第１の主面および第１の主面と反対の第２の主面を有する炭化珪素膜を含む。第２の主面は、素子部内の素子形成面と、終端部内の終端面とを有する。炭化珪素半導体装置の製造方法は、以下の工程を有する。
【００２０】
第１の主面と第１の主面と反対の中間面とをなす第１の範囲が形成される。第１の範囲を形成する工程は、第１の主面および中間面をなし第１の導電型を有する第１の耐圧保持層を形成する工程と、終端部内において中間面に部分的に、中間面上において素子部を取り囲み第２の導電型を有するガードリング領域を形成する工程とを含む。中間面上に、素子形成面をなす第２の範囲が形成される。第２の範囲を形成する工程は、ガードリング領域を形成する工程の後に、中間面上に、第１の導電型を有する第２の耐圧保持層を形成する工程を含む。第２の範囲を形成する工程は、第２の範囲が、終端部内において第２の耐圧保持層のみを有する構造、および、素子部および終端部のうち素子部にのみ配置される構造のいずれかを有するように行わる。第１の主面に面する第１の主電極が形成される。第２の主面の素子形成面に面する第２の主電極が形成される。
【００２１】
この製造方法によれば、第２の範囲は、終端部内において第２の耐圧保持層のみを有する構造、および、素子部および終端部のうち素子部にのみ配置される構造のいずれかを有する。第２の範囲が終端部内において第２の耐圧保持層のみを有する場合、第２の範囲のうち終端部内の部分が第２の耐圧保持層のみからなる。これにより、終端面全体が第１の導電型を有する。よって終端面上にｐｎ接合が設けられない。よって終端面の近傍における電界集中を防止することができる。よって終端面に隣接する素子形成面の近傍に高電界が印加されることが防止される。第２の範囲が素子部および終端部のうち素子部にのみ配置される構造を有する場合、素子形成面が第２の範囲によって構成されつつ、終端面が第２の範囲ではなく第１の範囲によって構成される。これにより厚さ方向において素子形成面の位置と終端面の位置とがずらされる。よって終端面の近傍における電界集中が及ぼす素子形成面の近傍への影響を抑えることができる。上記いずれの場合においても、終端面の近傍における素子部の破壊を防止することができる。
【００２２】
また、第２の範囲は、終端部内において第２の導電型を有する部分を含む必要がない。これにより炭化珪素半導体装置の製造方法を簡素化することができる。
【００２３】
以上述べたように、上記の製造方法によれば、炭化珪素半導体装置の耐圧を高め、かつ製造方法を簡素化することができる。
【００２４】
第２の範囲を形成する工程は、終端部内において第２の耐圧保持層の少なくとも一部を除去することによって、素子形成面を含む仮想平面から第１の主面の方へずらされた終端面を形成する工程を含んでもよい。これにより厚さ方向において素子形成面の位置と終端面の位置とがずらされる。よって終端面の近傍における電界集中が及ぼす素子形成面の近傍への影響を抑えることができる。よって終端面の近傍における素子部の破壊をより確実に防止することができる。
【発明の効果】
【００２５】
本発明によれば上述したように、炭化珪素半導体装置の構造を簡素化し、かつ炭化珪素半導体装置の耐圧を高めることができる。
【図面の簡単な説明】
【００２６】
【図１】本発明の実施の形態１における炭化珪素半導体装置の構成を概略的に示す平面図である。
【図２】図１の線ＩＩ−ＩＩに沿う概略的な部分断面図である。
【図３】図１の破線部ＩＩＩにおける、炭化珪素半導体装置が有する炭化珪素膜の概略的な部分断面斜視図である。
【図４】図２の炭化珪素半導体装置の製造方法の第１工程を概略的に示す部分断面図である。
【図５】図２の炭化珪素半導体装置の製造方法の第２工程を概略的に示す部分断面図である。
【図６】図２の炭化珪素半導体装置の製造方法の第３工程を概略的に示す部分断面図である。
【図７】図２の炭化珪素半導体装置の製造方法の第４工程を概略的に示す部分断面図である。
【図８】図２の炭化珪素半導体装置の製造方法の第５工程を概略的に示す部分断面図である。
【図９】図２の炭化珪素半導体装置の製造方法の第６工程を概略的に示す部分断面図である。
【図１０】図２の炭化珪素半導体装置の製造方法の第７工程を概略的に示す部分断面図である。
【図１１】図２の炭化珪素半導体装置の製造方法の第８工程を概略的に示す部分断面図である。
【図１２】図２の炭化珪素半導体装置の製造方法の第９工程を概略的に示す部分断面図である。
【図１３】図２の炭化珪素半導体装置の製造方法の第１０工程を概略的に示す部分断面図である。
【図１４】本発明の実施の形態２における炭化珪素半導体装置の構成を概略的に示す部分断面図である。
【図１５】図１４の炭化珪素半導体装置の製造方法の一工程を概略的に示す部分断面図である。
【図１６】本発明の実施の形態３における炭化珪素半導体装置の構成を概略的に示す部分断面図である。
【図１７】本発明の実施の形態４における炭化珪素半導体装置の構成を概略的に示す部分断面図である。
【図１８】本発明の実施の形態５における炭化珪素半導体装置の構成を概略的に示す部分断面図である。
【図１９】炭化珪素半導体装置が有する炭化珪素膜の表面の微細構造を概略的に示す部分断面図である。
【図２０】ポリタイプ４Ｈの六方晶における（０００−１）面の結晶構造を示す図である。
【図２１】図２０の線ＸＸＩ−ＸＸＩに沿う（１１−２０）面の結晶構造を示す図である。
【図２２】図１９の複合面の表面近傍における結晶構造を（１１−２０）面内において示す図である。
【図２３】図１９の複合面を（０１−１０）面から見た図である。
【図２４】巨視的に見たチャネル面および（０００−１）面の間の角度と、チャネル移動度との関係の一例を、熱エッチングが行われた場合と行われなかった場合との各々について示すグラフ図である。
【図２５】チャネル方向および＜０−１１−２＞方向の間の角度と、チャネル移動度との関係の一例を示すグラフ図である。
【図２６】図１９の変形例を示す図である。
【発明を実施するための形態】
【００２７】
以下、本発明の実施の形態について図に基づいて説明する。なお、以下の図面において、同一または相当する部分には同一の参照番号を付し、その説明は繰り返さない。また、本明細書中の結晶学的記載においては、個別方位を［］、集合方位を＜＞、個別面を（）、集合面を｛｝でそれぞれ示している。また結晶学上の指数が負であることは、通常、”−”（バー）を数字の上に付すことによって表現されるが、本明細書中では数字の前に負の符号を付している。
【００２８】
（実施の形態１）
図１に示すように、ＭＯＳＦＥＴ２０１（炭化珪素半導体装置）は、トランジスタ素子（半導体素子）が設けられている素子部ＣＬと、素子部ＣＬを取り囲んでいる終端部ＴＭとを有するものである。図２に示すように、ＭＯＳＦＥＴ２０１は、単結晶基板８０と、エピタキシャル膜９０（炭化珪素膜）と、ゲート酸化膜９１（ゲート絶縁膜）と、ゲート電極９２と、ドレイン電極９８（第１の主電極）と、ソース電極９４（第２の主電極）と、層間絶縁膜９３と、ソース配線層９５とを有する。
【００２９】
単結晶基板８０は、ｎ型（第１の導電型）の炭化珪素から作られている。単結晶基板８０は、六方晶系の結晶構造を有することが好ましく、ポリタイプ４Ｈを有することがより好ましい。エピタキシャル膜９０（図３）は、単結晶基板８０上にエピタキシャルに形成された炭化珪素膜である。エピタキシャル膜９０は、単結晶基板８０に接する下面Ｐ１（第１の主面）と、上面Ｐ２（第１の主面と反対の第２の主面）とを有する。上面Ｐ２は、素子部ＣＬ内の素子形成面ＰＥと、終端部ＴＭ内の終端面ＰＴとを有する。エピタキシャル膜９０は下側範囲ＲＡ（第１の範囲）と上側範囲ＲＢ（第２の範囲）とを有する。
【００３０】
下側範囲ＲＡは、下面Ｐ１と、下面Ｐ１と反対の中間面ＰＭとをなしている。下側範囲ＲＡは、ｎ型を有する下側ドリフト層８１Ａ（第１の耐圧保持層）と、ｐ型（第１の導電型と異なる第２の導電型）を有する電荷補償領域７１と、ｐ型を有するＪＴＥ（Junction  Termination  Extension）領域７２と、ｐ型を有するガードリング領域７３とを有する。
【００３１】
下側ドリフト層８１Ａは、好ましくは単結晶基板８０の不純物濃度に比して低い不純物濃度を有する。下側ドリフト層８１Ａの不純物濃度は、好ましくは１×１０15ｃｍ-3以上５×１０16ｃｍ-3以下であり、たとえば８×１０15ｃｍ-3である。
【００３２】
電荷補償領域７１は、素子部ＣＬ内において中間面ＰＭ上に部分的に設けられている。電荷補償領域７１は２．５×１０13ｃｍ-3程度以上の不純物濃度を有することが好ましい。
【００３３】
ＪＴＥ領域７２は、終端部ＴＭ内において中間面ＰＭ上に部分的に設けられており、電荷補償領域７１に接しており、素子部ＣＬを取り囲んでいる。ＪＴＥ領域７２は電荷補償領域７１の不純物濃度に比して低い不純物濃度を有する。
【００３４】
ガードリング領域７３は、終端部ＴＭ内において中間面ＰＭに部分的に設けられている。ガードリング領域７３は中間面ＰＭ上において、素子部ＣＬを取り囲んでおり、ＪＴＥ領域７２から離れている。ガードリング領域７３は、電荷補償領域７１の不純物濃度に比して低い不純物濃度を有することが好ましく、ＪＴＥ領域７２の不純物濃度と同様の不純物濃度を有してもよい。
【００３５】
上側範囲ＲＢは、中間面ＰＭ上に設けられており、素子形成面ＰＥおよび終端面ＰＴをなしている。素子形成面ＰＥと終端面ＰＴとの各々は一の平面上に配置されている。上側範囲ＲＢは、図２および図３に示すように、ｎ型を有する上側ドリフト層８１Ｂ（第２の耐圧保持層）と、ｐ型を有するベース層８２と、ｎ型を有するソース領域８３と、ｐ型を有するコンタクト領域８４とを有する。上側範囲ＲＢは、終端部ＴＭ内において上側ドリフト層８１Ｂのみを有する構造を有する。下側ドリフト層８１Ａおよび上側ドリフト層８１Ｂは素子部ＣＬにおいてドリフト領域８１（耐圧保持領域）を構成している。
【００３６】
上側ドリフト層８１Ｂは、単結晶基板８０の不純物濃度に比して低い不純物濃度を有することが好ましく、下側ドリフト層８１Ａの不純物濃度と同じ不純物濃度を有することがより好ましい。ベース層８２は素子部ＣＬ内において上側ドリフト層８１Ｂ上に設けられている。ベース層８２は、たとえば不純物濃度１×１０18ｃｍ-3を有する。ソース領域８３は、ベース層８２上に設けられており、ベース層８２によって上側ドリフト層８１Ｂから隔てられている。コンタクト領域８４はベース層８２につながっている。
【００３７】
エピタキシャル膜９０の上側範囲ＲＢにおいて素子形成面ＰＥ上にトレンチＴＲが設けられている。トレンチＴＲは側壁面ＳＷおよび底面ＢＴを有する。側壁面ＳＷはソース領域８３およびベース層８２を貫通して上側ドリフト層８１Ｂに至っている。よって側壁面ＳＷはベース層８２によって構成された部分を含む。側壁面ＳＷはベース層８２上において、ＭＯＳＦＥＴ２０１のチャネル面を含む。
【００３８】
側壁面ＳＷはエピタキシャル膜９０の素子形成面ＰＥに対して傾斜しており、これによりトレンチＴＲは開口に向かってテーパ状に拡がっている。側壁面ＳＷの面方位は、｛０００−１｝面に対して５０°以上８０°以下傾斜していることが好ましく、（０００−１）面に対して５０°以上８０°以下傾斜していることがより好ましい。
【００３９】
側壁面ＳＷは、巨視的に見て、面方位｛０−３３−８｝、｛０−１１−２｝、｛０−１１−４｝および｛０−１１−１｝のいずれかを有してもよい。なお面方位｛０−３３−８｝は｛０００−１｝面から５４．７度のオフ角を有する。面方位｛０−１１−１｝は｛０００−１｝面から７５．１度のオフ角を有する。よって面方位｛０−３３−８｝、｛０−１１−２｝、｛０−１１−４｝および｛０−１１−１｝は、オフ角５４．７〜７５．１度に対応する。オフ角について５度程度の製造誤差が想定されることを考慮すると、側壁面ＳＷが｛０００−１｝面に対して５０度以上８０度以下程度傾斜するような加工を行うことで、側壁面ＳＷの巨視的な面方位を、｛０−３３−８｝、｛０−１１−２｝、｛０−１１−４｝および｛０−１１−１｝のいずれかとしやすくなる。
【００４０】
側壁面ＳＷは、特にベース層８２上の部分において、所定の結晶面（特殊面とも称する）を有することが好ましい。特殊面の詳細については後述する。
【００４１】
底面ＢＴは上側範囲ＲＢによって下側範囲ＲＡから離れている。底面ＢＴは、本実施の形態においてはエピタキシャル膜９０の上面Ｐ２とほぼ平行な平坦な形状を有する。なお底面ＢＴは平坦面でなくてもよく、図２の断面視においてほぼ点状であってもよく、この場合、トレンチＴＲはＶ字形状を有する。
【００４２】
ゲート酸化膜９１はトレンチＴＲの側壁面ＳＷおよび底面ＢＴの各々を覆っている。ゲート酸化膜９１は、ベース層８２上において上側ドリフト層８１Ｂとソース領域８３とを互いにつなぐ部分を有する。ゲート電極９２は、ＭＯＳＦＥＴ２０１のオン状態およびオフ状態の間のスイッチングを行うためのものである。ゲート電極９２はゲート酸化膜９１上に設けられている。ゲート電極９２はゲート酸化膜９１を介して側壁面ＳＷ上に配置されている。
【００４３】
ソース電極９４は上面Ｐ２の素子形成面ＰＥに面している。具体的には、ソース電極９４は素子形成面ＰＥ上においてソース領域８３およびコンタクト領域８４の各々に接している。ソース電極９４は、オーミック電極であり、たとえばシリサイドから作られている。ソース配線層９５はソース電極９４に接している。ソース配線層９５は、たとえばアルミニウム層である。層間絶縁膜９３はゲート電極９２とソース配線層９５との間を絶縁している。
【００４４】
ドレイン電極９８は下面Ｐ１に面している。具体的にはドレイン電極９８は、単結晶基板８０を介してエピタキシャル膜９０の下面Ｐ１上に設けられている。
【００４５】
次にＭＯＳＦＥＴ２０１の製造方法について、以下に説明する。
図４および図５に示すように、単結晶基板８０上に下側範囲ＲＡが形成される。具体的には、以下のとおりである。
【００４６】
まず図４に示すように、単結晶基板８０上における炭化珪素のエピタキシャル成長によって、下面Ｐ１および中間面ＰＭをなす下側ドリフト層８１Ａが形成される。単結晶基板８０の、エピタキシャル成長が行われる面は、｛０００−１｝面から８度以内のオフ角を有することが好ましく、（０００−１）面から８度以内のオフ角を有することがより好ましい。エピタキシャル成長はＣＶＤ法により行われ得る。原料ガスとしては、たとえば、シラン（ＳｉＨ4）とプロパン（Ｃ3Ｈ8）との混合ガスを用い得る。この際、不純物として、たとえば窒素（Ｎ）やリン（Ｐ）を導入することが好ましい。
【００４７】
次に図５に示すように、この時点では露出されている中間面ＰＭ上への不純物イオン注入によって、不純物領域が形成される。具体的には、素子部ＣＬ内において中間面ＰＭ上に部分的に、電荷補償領域７１が形成される。また終端部ＴＭ内において中間面ＰＭ上に部分的に、ＪＴＥ領域７２と、ガードリング領域７３とが形成される。各不純物領域の形成の順番は任意である。本実施の形態においては、ｐ型を付与するための不純物、すなわちアクセプタが注入される。アクセプタとしては、たとえばアルミニウムを用い得る。
【００４８】
図６〜図１０に示すように、中間面ＰＭ上に上側範囲ＲＢが形成される。上側範囲ＲＢを形成する工程は、上側範囲ＲＢが、終端部ＴＭ内において上側ドリフト層８１Ｂのみを有する構造を有するように行わる。具体的には、以下のとおりである。
【００４９】
まず図６に示すように、下側ドリフト層８１Ａと同様の方法によって、上側ドリフト層８１Ｂが形成される。これにより下側範囲ＲＡおよび上側範囲ＲＢを有するエピタキシャル膜９０が得られる。
【００５０】
次に図７に示すように、素子部ＣＬにおけるエピタキシャル膜９０の上面Ｐ２上への不純物イオン注入によって、不純物領域が形成される。具体的には、素子部ＣＬ内において上側ドリフト層８１Ｂ上にベース層８２が形成される。またベース層８２上に、ベース層８２によって上側ドリフト層８１Ｂから隔てられたソース領域８３が形成される。また素子部ＣＬ内において上面Ｐ２からベース層８２まで延びるコンタクト領域８４が形成される。各不純物領域の形成の順番は任意である。なお終端部ＴＭにおいては、上面Ｐ２上への不純物イオン注入を行う必要がない。
【００５１】
次に、不純物を活性化するための熱処理が行われる。この熱処理の温度は、好ましくは１５００℃以上１９００℃以下であり、たとえば１７００℃程度である。熱処理の時間は、たとえば３０分程度である。熱処理の雰囲気は、好ましくは不活性ガス雰囲気であり、たとえばアルゴン雰囲気である。
【００５２】
図８に示すように、エピタキシャル膜９０の上面Ｐ２上に、開口部を有するマスク層６１が形成される。開口部はトレンチＴＲ（図２）の位置に対応して形成される。マスク層６１は、二酸化珪素から作られることが好ましく、熱酸化によって形成されることがより好ましい。本実施の形態においては、開口部は、上面Ｐ２のうち素子部ＣＬ内の部分の上のみに形成される。
【００５３】
図９に示すように、マスク層６１を用いた熱エッチングが行われる。具体的には、加熱されたエピタキシャル膜９０へ、反応性ガスの供給が行われる。反応性ガスは、加熱下において炭化珪素と反応し得るものであり、好ましくはハロゲンガスを含む。反応性ガスは、たとえば、Ｃｌ2、ＢＣｌ3、ＣＦ4、およびＳＦ6の少なくともいずれかを含有するものであり、特にＣｌ2を含有するものが好ましい。反応性ガスはさらに酸素ガスを含んでもよい。また反応性ガスはキャリアガスを含んでいてもよい。キャリアガスとしては、たとえば窒素ガス、アルゴンガスまたはヘリウムガスを用いることができる。エピタキシャル膜９０の加熱は、たとえば７００℃程度以上１０００℃程度以下程度で行われる。
【００５４】
この熱エッチングにより上面Ｐ２の素子形成面ＰＥに、側壁面ＳＷを有するトレンチＴＲが形成される。この熱エッチングにおける炭化珪素のエッチング速度はたとえば約７０μｍ／時になる。この場合に、マスク層６１が二酸化珪素から作られていれば、その消耗が顕著に抑制される。熱エッチングによるトレンチＴＲの形成時に、側壁面ＳＷ上、特にベース層８２上において、特殊面が自己形成される。次にマスク層６１がエッチングなど任意の方法により除去される（図１０）。
【００５５】
図１１に示すように、トレンチＴＲの側壁面ＳＷおよび底面ＢＴの上にゲート酸化膜９１が形成される。ゲート酸化膜９１は、ベース層８２上において上側ドリフト層８１Ｂとソース領域８３とを互いにつなぐ部分を有する。ゲート酸化膜９１は、熱酸化により形成されることが好ましい。
【００５６】
ゲート酸化膜９１の形成後に、雰囲気ガスとして一酸化窒素（ＮＯ）ガスを用いるＮＯアニールが行われてもよい。温度プロファイルは、たとえば、温度１１００℃以上１３００℃以下、保持時間１時間程度の条件を有する。これにより、ゲート酸化膜９１とベース層８２との界面領域に窒素原子が導入される。その結果、界面領域における界面準位の形成が抑制されることで、チャネル移動度を向上させることができる。なお、このような窒素原子の導入が可能であれば、ＮＯガス以外のガスが雰囲気ガスとして用いられてもよい。このＮＯアニールの後にさらに、雰囲気ガスとしてアルゴン（Ａｒ）を用いるＡｒアニールが行われてもよい。Ａｒアニールの加熱温度は、上記ＮＯアニールの加熱温度よりも高く、ゲート酸化膜９１の融点よりも低いことが好ましい。この加熱温度が保持される時間は、たとえば１時間程度である。これにより、ゲート酸化膜９１とベース層８２との界面領域における界面準位の形成がさらに抑制される。なお、雰囲気ガスとして、Ａｒガスに代えて窒素ガスなどの他の不活性ガスが用いられてもよい。
【００５７】
図１２に示すように、ゲート酸化膜９１上にゲート電極９２が形成される。具体的には、トレンチＴＲの内部の領域をゲート酸化膜９１を介して少なくとも部分的に埋めるように、ゲート酸化膜９１上にゲート電極９２が形成される。ゲート電極９２の形成方法は、たとえば、導体またはドープトポリシリコンの成膜とＣＭＰとによって行い得る。
【００５８】
図１３を参照して、ゲート電極９２の露出面を覆うように、ゲート電極９２およびゲート酸化膜９１上に層間絶縁膜９３が形成される。層間絶縁膜９３およびゲート酸化膜９１に開口部が形成されるようにエッチングが行われる。この開口部により上面Ｐ２上においてソース領域８３およびコンタクト領域８４の各々が露出される。次に上面Ｐ２の素子形成面ＰＥに面するソース電極９４が形成される。具体的には、上面Ｐ２上においてソース領域８３およびｎコンタクト領域８４の各々に接するソース電極９４が形成される。
【００５９】
再び図２を参照して、下面Ｐ１に面するドレイン電極９８が形成される。具体的には、下側ドリフト層８１Ａ上に単結晶基板８０を介してドレイン電極９８が形成される。ソース配線層９５が形成される。これによりＭＯＳＦＥＴ２０１が得られる。
【００６０】
本実施の形態によれば、上側範囲ＲＢ（図２）は、終端部ＴＭ内において上側ドリフト層８１Ｂのみを有する構造を有する。言い換えれば、上側範囲ＲＢのうち終端部ＴＭ内に上側ドリフト層８１Ｂ以外の構造を設ける必要がない。よってＭＯＳＦＥＴ２０１の構造を簡素化することができる。また素子形成面ＰＥと終端面ＰＴとの各々は一の平面上に配置されている。これによりエピタキシャル膜９０の表面の形状が単純化される。よってＭＯＳＦＥＴ２０１の構造をより簡素化することができる。
【００６１】
また上側範囲ＲＢのうち終端部ＴＭ内の部分が上側ドリフト層８１Ｂのみからなる。これにより、終端面ＰＴ全体がｎ型を有する。よって終端面ＰＴ上にｐｎ接合が設けられない。よって終端面ＰＴの近傍における電界集中を防止することができる。よって終端面ＰＴに隣接する素子形成面ＰＥの近傍に高電界が印加されることが防止される。よって終端面ＰＴの近傍における素子部ＣＬの破壊を防止することができる。これによりＭＯＳＦＥＴ２０１の耐圧を高めることができる。また下側範囲ＲＡが電荷補償領域７１を含むことにより、素子部ＣＬ内の電界が抑制される。これによりＭＯＳＦＥＴ２０１の耐圧をより高めることができる。
【００６２】
なおＭＯＳＦＥＴ２０１（図２）の構造は、オフ状態の際に終端部ＴＭにおいて、上側範囲ＲＢに比して下側範囲ＲＡによる電圧負担を高めるものである。このような構造を、仮にＳｉＣ半導体装置でなくＳｉ半導体装置に適用したとすると、下側範囲ＲＡにおけるＳｉ層の破壊現象が生じやすくなり、高い耐圧が得られなくなる。よってＭＯＳＦＥＴ２０１の構造は、Ｓｉ半導体装置にはあまり適しておらず、ＳｉＣ半導体装置に特に適したものである。
【００６３】
（実施の形態２）
図１４に示すように、本実施の形態のＭＯＳＦＥＴ２０２（炭化珪素半導体装置）においては、終端面ＰＴが、素子形成面ＰＥを含む仮想平面ＰＶから、下面Ｐ１の方へずらされて配置されている。終端面ＰＴと素子形成面ＰＥとは、終端部ＴＭに位置する側面ＰＳによってつながっている。側面ＰＳは、本実施の形態においては、素子形成面ＰＥに対して９０度未満の角度で傾いている。側面ＰＳは、後述する特殊面であってもよい。上側範囲ＲＢはガードリング領域７３を覆っている。終端面ＰＴおよび中間面ＰＭの間における上側範囲ＲＢの厚さは１μｍ以下であることが好ましい。
【００６４】
ＭＯＳＦＥＴ２０２の製造においては、図１５に示すように、上側範囲ＲＢが形成される際に、終端部ＴＭ内において上側ドリフト層８１Ｂの一部が除去される。これにより、素子形成面ＰＥを含む仮想平面ＰＶから下面Ｐ１の方へずらされた終端面ＰＴが形成される。上側ドリフト層８１Ｂの部分的な除去は、ガードリング領域７３上に上側範囲ＲＢが残存するように行われる。上側ドリフト層８１Ｂの部分的な除去は、たとえば、熱エッチングまたは反応性イオンエッチング（ＲＩＥ）により行い得る。
【００６５】
なお、上記以外の構成については、上述した実施の形態１の構成とほぼ同じであるため、同一または対応する要素について同一の符号を付し、その説明を繰り返さない。
【００６６】
本実施の形態によれば、厚さ方向において素子形成面ＰＥの位置と終端面ＰＴの位置とがずらされる。よって終端面ＰＴの近傍における電界集中が及ぼす素子形成面ＰＥの近傍への影響を抑えることができる。よって終端面ＰＴの近傍における素子部ＣＬの破壊をより確実に防止することができる。これにより耐圧をより高めることができる。
【００６７】
また上側ドリフト層８１Ｂの部分的な除去は、ガードリング領域７３上に上側範囲ＲＢが残存するように行われる。これにより、ガードリング領域７３上の上側範囲ＲＢの全てが除去される場合に比して、製造方法を簡素化することができる。中間面ＰＭ上に残存した上側範囲ＲＢの厚さが１μｍ以下とされる場合、ガードリング領域７３上における電界の回り込みを抑制することができる。
【００６８】
なおＭＯＳＦＥＴ２０２（図１４）の構造は、オフ状態の際に終端部ＴＭにおいて、上側範囲ＲＢに比して下側範囲ＲＡによる電圧負担を高めるものである。このような構造を、仮にＳｉＣ半導体装置でなくＳｉ半導体装置に適用したとすると、下側範囲ＲＡにおけるＳｉ層の破壊現象が生じやすくなり、高い耐圧が得られなくなる。よってＭＯＳＦＥＴ２０２の構造は、Ｓｉ半導体装置にはあまり適しておらず、ＳｉＣ半導体装置に特に適したものである。
【００６９】
（実施の形態３）
図１６に示すように、本実施の形態のＭＯＳＦＥＴ２０３（炭化珪素半導体装置）においてはガードリング領域７３が終端面ＰＴに位置している。なお、上記以外の構成については、上述した実施の形態２の構成とほぼ同じであるため、同一または対応する要素について同一の符号を付し、その説明を繰り返さない。
【００７０】
本実施の形態によれば、エピタキシャル膜９０はガードリング領域７３を覆う部分を有しない。これによりガードリング領域７３上における電界の回り込みを防止することができる。よって終端面ＰＴの近傍における素子部ＣＬの破壊をより確実に防止することができる。これにより耐圧をより高めることができる。
【００７１】
なおＭＯＳＦＥＴ２０３（図１６）の構造は、オフ状態の際に終端部ＴＭにおいて、上側範囲ＲＢに比して下側範囲ＲＡによる電圧負担を高めるものである。このような構造を、仮にＳｉＣ半導体装置でなくＳｉ半導体装置に適用したとすると、下側範囲ＲＡにおけるＳｉ層の破壊現象が生じやすくなり、高い耐圧が得られなくなる。よってＭＯＳＦＥＴ２０３の構造は、Ｓｉ半導体装置にはあまり適しておらず、ＳｉＣ半導体装置に特に適したものである。
【００７２】
（実施の形態４）
図１７に示すように、本実施の形態のＭＯＳＦＥＴ２０４（炭化珪素半導体装置）においては、上側範囲ＲＢは、素子部ＣＬおよび終端部ＴＭのうち素子部ＣＬにのみ配置される構造を有する。言い換えれば、上側範囲ＲＢは終端部ＴＭの外側にのみ設けられている。これにより、上側範囲ＲＢが素子形成面ＰＥをなし、また下側範囲ＲＡが終端面ＰＴをなしている。
【００７３】
ＭＯＳＦＥＴ２０４の製造方法においては、図１５と類似の工程が上側範囲ＲＢを形成するために行われるに際して、終端部ＴＭ内において上側ドリフト層８１Ｂの全部が除去される。この結果、上側範囲ＲＢが、素子部ＣＬおよび終端部ＴＭのうち素子部ＣＬにのみ設けられる。これにより、素子形成面ＰＥを含む仮想平面ＰＶから下面Ｐ１の方へずらされた終端面ＰＴが形成される。
【００７４】
なお、上記以外の構成については、上述した実施の形態３の構成とほぼ同じであるため、同一または対応する要素について同一の符号を付し、その説明を繰り返さない。
【００７５】
本実施の形態によれば、終端部ＴＭ内に上側範囲ＲＢを設ける必要がない。よってＭＯＳＦＥＴ２０１の構造を簡素化することができる。また素子形成面ＰＥが上側範囲ＲＢによって構成されつつ、終端面ＰＴが上側範囲ＲＢではなく下側範囲ＲＡによって構成される。これにより厚さ方向において素子形成面ＰＥの位置と終端面ＰＴの位置とがずらされる。よって終端面ＰＴの近傍における電界集中が及ぼす素子形成面ＰＥの近傍への影響を抑えることができる。よって終端面ＰＴの近傍における素子部ＣＬの破壊を防止することができる。これにより耐圧をより高めることができる。
【００７６】
なおＭＯＳＦＥＴ２０４（図１７）の構造は、オフ状態の際に終端部ＴＭにおいて、上側範囲ＲＢを用いず下側範囲ＲＡにのみ電圧を負担させるものである。このような構造を、仮にＳｉＣ半導体装置でなくＳｉ半導体装置に適用したとすると、下側範囲ＲＡにおけるＳｉ層の破壊現象が生じやすくなり、高い耐圧が得られなくなる。よってＭＯＳＦＥＴ２０３の構造は、Ｓｉ半導体装置にはあまり適しておらず、ＳｉＣ半導体装置に特に適したものである。
【００７７】
（実施の形態５）
図１８に示すように、ＭＯＳＦＥＴ２０１（図２）の変形例である本実施の形態のＭＯＳＦＥＴ２０５は、トレンチ型ではなくプレーナ型である。すなわちエピタキシャル膜９０の素子形成面ＰＥ上には、トレンチＴＲ（図２）が設けられておらず、プレーナゲート構造が設けられている。具体的には、平坦な上面Ｐ２における素子形成面ＰＥ上に、ベース層８２Ｐと、ソース領域８３Ｐと、コンタクト領域８４Ｐとの不純物領域が形成されている。また平坦なＰ２上にゲート酸化膜９１Ｐが設けられ、その上にゲート電極９２Ｐが設けられている。なお、上記以外の構成については、上述した実施の形態１の構成とほぼ同じであるため、同一または対応する要素について同一の符号を付し、その説明を繰り返さない。
【００７８】
本実施の形態によれば、プレーナ型ＭＯＳＦＥＴにおいて耐圧の決定要因となりやすい、ベース層８２Ｐと上側ドリフト層８１Ｂとの境界に加わる電界強度が、より低くされる。これによりＭＯＳＦＥＴ２０５の耐圧を高めることができる。
【００７９】
なお他の実施の形態２〜４のトレンチ型のＭＯＳＦＥＴ２０２〜２０４（図１４、図１６および図１７）の変形例としてのプレーナ型ＭＯＳＦＥＴが用いられてもよい。言い換えれば、ＭＯＳＦＥＴ２０２〜２０４におけるトレンチ型ＭＯＳ構造が、本実施の形態に示すようなプレーナ型ＭＯＳ構造に置き換えられてもよい。
【００８０】
（特殊面の構成）
上述した「特殊面」について詳しく説明する。上述したように、トレンチＴＲの側壁面ＳＷ（図２）は、特にベース層８２上において特殊面を有することが好ましい。以下、側壁面ＳＷが特殊面を有する場合について説明する。
【００８１】
図１９に示すように、特殊面を有する側壁面ＳＷは、面Ｓ１（第１の面）を含む。面Ｓ１は面方位｛０−３３−８｝を有し、好ましくは面方位（０−３３−８）を有する。好ましくは側壁面ＳＷは面Ｓ１を微視的に含む。好ましくは側壁面ＳＷはさらに面Ｓ２（第２の面）を微視的に含む。面Ｓ２は面方位｛０−１１−１｝を有し、好ましくは面方位（０−１１−１）を有する。ここで「微視的」とは、原子間隔の２倍程度の寸法を少なくとも考慮する程度に詳細に、ということを意味する。このように微視的な構造の観察方法としては、たとえばＴＥＭ（Transmission  Electron  Microscope）を用いることができる。
【００８２】
好ましくは側壁面ＳＷは複合面ＳＲを有する。複合面ＳＲは、面Ｓ１およびＳ２が周期的に繰り返されることによって構成されている。このような周期的構造は、たとえば、ＴＥＭまたはＡＦＭ（Atomic  Force  Microscopy）により観察し得る。複合面ＳＲは面方位｛０−１１−２｝を有し、好ましくは面方位（０−１１−２）を有する。この場合、複合面ＳＲは｛０００−１｝面に対して巨視的に６２°のオフ角を有する。ここで「巨視的」とは、原子間隔程度の寸法を有する微細構造を無視することを意味する。このように巨視的なオフ角の測定としては、たとえば、一般的なＸ線回折を用いた方法を用い得る。好
ましくは、チャネル面上においてキャリアが流れる方向であるチャネル方向ＣＤは、上述した周期的繰り返しが行われる方向に沿っている。
【００８３】
次に、複合面ＳＲの詳細な構造について説明する。
一般に、ポリタイプ４Ｈの炭化珪素単結晶を（０００−１）面から見ると、図２０に示すように、Ｓｉ原子（またはＣ原子）は、Ａ層の原子（図中の実線）と、この下に位置するＢ層の原子（図中の破線）と、この下に位置するＣ層の原子（図中の一点鎖線）と、この下に位置するＢ層の原子（図示せず）とが繰り返し設けられている。つまり４つの層ＡＢＣＢを１周期としてＡＢＣＢＡＢＣＢＡＢＣＢ・・・のような周期的な積層構造が設けられている。
【００８４】
図２１に示すように、（１１−２０）面（図２０の線ＸＸＩ−ＸＸＩの断面）において、上述した１周期を構成する４つの層ＡＢＣＢの各層の原子は、（０−１１−２）面に完全に沿うようには配列されていない。図２１においてはＢ層の原子の位置を通るように（０−１１−２）面が示されており、この場合、Ａ層およびＣ層の各々の原子は（０−１１−２）面からずれていることがわかる。このため、炭化珪素単結晶の表面の巨視的な面方位、すなわち原子レベルの構造を無視した場合の面方位が（０−１１−２）に限定されたとしても、この表面は、微視的には様々な構造をとり得る。
【００８５】
図２２に示すように、複合面ＳＲは、面方位（０−３３−８）を有する面Ｓ１と、面Ｓ１につながりかつ面Ｓ１の面方位と異なる面方位を有する面Ｓ２とが交互に設けられることによって構成されている。面Ｓ１および面Ｓ２の各々の長さは、Ｓｉ原子（またはＣ原子）の原子間隔の２倍である。なお面Ｓ１および面Ｓ２が平均化された面は、（０−１１−２）面（図１７）に対応する。
【００８６】
図２３に示すように、複合面ＳＲを（０１−１０）面から見て単結晶構造は、部分的に見て立方晶と等価な構造（面Ｓ１の部分）を周期的に含んでいる。具体的には複合面ＳＲは、上述した立方晶と等価な構造における面方位（００１）を有する面Ｓ１と、面Ｓ１につながりかつ面Ｓ１の面方位と異なる面方位を有する面Ｓ２とが交互に設けられることによって構成されている。このように、立方晶と等価な構造における面方位（００１）を有する面（図１９においては面Ｓ１）と、この面につながりかつこの面方位と異なる面方位を有する面（図２３においては面Ｓ２）とによって表面を構成することは４Ｈ以外のポリタイプにおいても可能である。ポリタイプは、たとえば６Ｈまたは１５Ｒであってもよい。
【００８７】
次に図２４を参照して、側壁面ＳＷの結晶面と、チャネル面の移動度ＭＢとの関係について説明する。図２４のグラフにおいて、横軸は、チャネル面を有する側壁面ＳＷの巨視的な面方位と（０００−１）面とのなす角度Ｄ１を示し、縦軸は移動度ＭＢを示す。プロット群ＣＭは側壁面ＳＷが熱エッチングによる特殊面として仕上げられた場合に対応し、プロット群ＭＣはそのような熱エッチングがなされない場合に対応する。
【００８８】
プロット群ＭＣにおける移動度ＭＢは、チャネル面の表面の巨視的な面方位が（０−３３−８）のときに最大となった。この理由は、熱エッチングが行われない場合、すなわち、チャネル表面の微視的な構造が特に制御されない場合においては、巨視的な面方位が（０−３３−８）とされることによって、微視的な面方位（０−３３−８）、つまり原子レベルまで考慮した場合の面方位（０−３３−８）が形成される割合が確率的に高くなったためと考えられる。
【００８９】
一方、プロット群ＣＭにおける移動度ＭＢは、チャネル面の表面の巨視的な面方位が（０−１１−２）のとき（矢印ＥＸ）に最大となった。この理由は、図２２および図２３に示すように、面方位（０−３３−８）を有する多数の面Ｓ１が面Ｓ２を介して規則正しく稠密に配置されることで、チャネル面の表面において微視的な面方位（０−３３−８）が占める割合が高くなったためと考えられる。
【００９０】
なお移動度ＭＢは複合面ＳＲ上において方位依存性を有する。図２５に示すグラフにおいて、横軸はチャネル方向と＜０−１１−２＞方向との間の角度Ｄ２を示し、縦軸はチャネル面の移動度ＭＢ（任意単位）を示す。破線はグラフを見やすくするために補助的に付してある。このグラフから、チャネル移動度ＭＢを大きくするには、チャネル方向ＣＤ（図１９）が有する角度Ｄ２は、０°以上６０°以下であることが好ましく、ほぼ０°であることがより好ましいことがわかった。
【００９１】
図２６に示すように、側壁面ＳＷは複合面ＳＲ（図２６においては直線で単純化されて示されている。）に加えてさらに面Ｓ３（第３の面）を含んでもよい。この場合、側壁面ＳＷの｛０００−１｝面に対するオフ角は、理想的な複合面ＳＲのオフ角である６２°からずれる。このずれは小さいことが好ましく、±１０°の範囲内であることが好ましい。このような角度範囲に含まれる表面としては、たとえば、巨視的な面方位が{０−３３−８}面となる表面がある。より好ましくは、側壁面ＳＷの（０００−１）面に対するオフ角は、理想的な複合面ＳＲのオフ角である６２°からずれる。このずれは小さいことが好ましく、±１０°の範囲内であることが好ましい。このような角度範囲に含まれる表面としては、たとえば、巨視的な面方位が（０−３３−８）面となる表面がある。
【００９２】
より具体的には側壁面ＳＷは、面Ｓ３および複合面ＳＲが周期的に繰り返されることによって構成された複合面ＳＱを含んでもよい。このような周期的構造は、たとえば、ＴＥＭまたはＡＦＭ（Atomic  Force  Microscopy）により観察し得る。
【００９３】
（特殊面を有する炭化珪素半導体装置）
トレンチＴＲの側壁面ＳＷ（図２）が面Ｓ１（図１９）を含む場合、面方位｛０−３３−８｝を有する面にチャネルが形成される。これにより、オン抵抗のうちチャネル抵抗が占める部分が抑制される。よってオン抵抗を所定の値以下に維持しつつ、ドリフト領域８１による抵抗を大きくし得る。よってドリフト領域８１の不純物濃度をより低くすることができる。よってＭＯＳＦＥＴ２０１の耐圧をより高めることができる。トレンチＴＲの側壁面ＳＷが面Ｓ１および面Ｓ２を微視的に含む場合は、オン抵抗をより抑制し得る。よって耐圧をより高めることができる。側壁面ＳＷの面Ｓ１およびＳ２が複合面ＳＲを構成している場合、オン抵抗をより抑制し得る。よって耐圧をより高めることができる。
【００９４】
（付記）
上記実施の形態におけるｎ型（第１の導電型）とｐ型（第２の導電型）とが入れ替えられた構成も用いられ得る。また電荷補償領域およびＪＴＥ領域の一方または両方が省略された構成も用いられ得る。また炭化珪素半導体装置は、ＭＯＳＦＥＴ以外のＭＩＳＦＥＴ（Metal  Insulator  Semiconductor  Field  Effect  Transistor）であってもよく、またＭＩＳＦＥＴ以外のトランジスタであってもよく、たとえばＩＧＢＴ（Insulated  Gate  Bipolar  Transistor）であってもよい。また炭化珪素半導体装置はトランジスタでなくてもよく、たとえばショットキーバリアダイオードであってもよい。
【００９５】
今回開示された実施の形態はすべての点で例示であって制限的なものではないと考えられるべきである。本発明の特許請求の範囲は上記した説明ではなくて請求の範囲によって示され、特許請求の範囲と均等の意味および範囲内でのすべての変更が含まれることが意図される。
【符号の説明】
【００９６】
６１  マスク層、７１  電荷補償領域、７２  ＪＴＥ領域、７３  ガードリング領域、８０  単結晶基板、８１  ドリフト領域（耐圧保持領域）、８１Ａ  下側ドリフト層（第１の耐圧保持層）、８１Ｂ  上側ドリフト層（第２の耐圧保持層）、８２，８２Ｐ  ベース層（チャネル形成領域）、８３，８３Ｐ  ソース領域、８４，８４Ｐ  コンタクト領域、９０  エピタキシャル膜（炭化珪素膜）、９１，９１Ｐ  ゲート酸化膜（ゲート絶縁膜）、９２，９２Ｐ  ゲート電極、９３  層間絶縁膜、９４  ソース電極（第２の主電極）、９８  ドレイン電極（第１の主電極）、２００〜２０５  ＭＯＳＦＥＴ（炭化珪素半導体装置）、ＢＴ  底面、ＣＬ  素子部、ＰＭ  中間面、Ｐ１  下面（第１の主面）、Ｐ２  上面（第２の主面）、ＰＥ  素子形成面、ＰＳ  側面、ＰＶ  仮想平面、ＲＡ  下側範囲（第１の範囲）、ＲＢ  上側範囲（第２の範囲）、Ｓ１  面（第１の面）、ＳＱ，ＳＲ  複合面、ＳＷ  側壁面、ＴＭ  終端部、ＴＲ  トレンチ。
【図１】
2014138025.tif 000003
【図２】
2014138025.tif 000004
【図３】
2014138025.tif 000005
【図４】
2014138025.tif 000006
【図５】
2014138025.tif 000007
【図６】
2014138025.tif 000008
【図７】
2014138025.tif 000009
【図８】
2014138025.tif 000010
【図９】
2014138025.tif 000011
【図１０】
2014138025.tif 000012
【図１１】
2014138025.tif 000013
【図１２】
2014138025.tif 000014
【図１３】
2014138025.tif 000015
【図１４】
2014138025.tif 000016
【図１５】
2014138025.tif 000017
【図１６】
2014138025.tif 000018
【図１７】
2014138025.tif 000019
【図１８】
2014138025.tif 000020
【図１９】
2014138025.tif 000021
【図２０】
2014138025.tif 000022
【図２１】
2014138025.tif 000023
【図２２】
2014138025.tif 000024
【図２３】
2014138025.tif 000025
【図２４】
2014138025.tif 000026
【図２５】
2014138025.tif 000027
【図２６】
2014138025.tif 000028